(57)【要約】【課題】中性子の状態はどのようであるか。中性子から放出したものはどのような物か。【解決手段】中性子は、陽子のラブ1＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。放出する電子の部分は(電子のラブ３＋電子ニュートリノよりエネルギーの大きい電磁気４)です。これは左回転です。放出する反電子ニュートリノの部分は陽子のラブの外側の周囲を回転する低エネルギーの電磁気５です。これは右回転です。【選択図】図１
2020160635.tif 000002
【特許請求の範囲】
【請求項１】
炭素14の原子核は不安定なため、時間がたつと中性子の1つが陽子と電子と反電子ニュートリノに壊れて、窒素14の原子核に変わります。この事の解明。
特願2018−130310の「請求項10」で、核融合の場の電子は、電子のラブ＋電子ニュートリノよりエネルギーの大きい電磁気、と成っている。そして、陽子の中にこの部分が入り、中性子に成っている。電子ニュートリノは低エネルギーの電磁気なので、核融合の場に存在する事はできず、太陽から放出する、と記した。
中性子は、陽子のラブ1＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。
(電子のラブ３＋電子ニュートリノよりエネルギーの大きい電磁気４)＋陽子のラブの外側の周囲を回転する低エネルギーの電磁気５の順に並んで回転している部分が放出する。この部分が電子と反電子ニュートリノです。
電子の部分は、(電子のラブ３＋電子ニュートリノよりエネルギーの大きい電磁気４)です。回転方向は左です。
反電子ニュートリノの部分は、陽子のラブの外側の周囲を回転する低エネルギーの電磁気５です。回転方向は右です。
即ち、炭素14の原子核は不安定なため、時間がたつと中性子の1つが陽子と電子と反電子ニュートリノに壊れて、窒素14の原子核に変わる現象は、中性子は、陽子のラブ１＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。そして、炭素14の原子核は不安定なため、時間がたつと中性子の1つが、陽子のラブ１＋陽子のラブの周囲を回転する高エネルギーの電磁気２は陽子として存在し、(電子のラブ３＋電子ニュートリノよりエネルギーの大きい電磁気４)＋陽子のラブの外側の周囲を回転する低エネルギーの電磁気５の部分は電子と反電子ニュートリノとして分かれて存在するようになる事です。電子の部分は(電子のラブ３＋電子ニュートリノよりエネルギーの大きい電磁気４)です。これは左回転です。反電子ニュートリノの部分は陽子のラブの外側の周囲を回転する低エネルギーの電磁気５です。これは右回転です。
この事を表に示す。
表２
2020160635.tif 000004
【請求項２】
ウイークホゾンという素粒子は存在するか。
この反応は、本来炭素は原子番号が１２で、安定な物質であり、炭素14の原子核は放射性同位体です。6個の陽子と8個の中性子より成っています。そのため、中性子を放出する反応です。
自由中性子は半減期10分で陽子に崩壊する。この反応は場のエネルギー差による崩壊反応です。それで、この反応にはウイークホゾンは携わっていない。ウイークホゾンは存在しない。
【請求項３】
特願2018−130310、「強い力とグル―オン、弱い力とウイークボゾン」の「請求項１０」に記した、「ウイークボソン」＝電子のラブ＋電子ニュートリノより軌道の小さい電磁気＝電子のラブ＋3.848×10-23m〜1.512×10-28mの軌道の電磁気。「ウイークボソン」＝電子のラブ＋電子ニュートリノよりエネルギーの大きい電磁気＝電子のラブ＋3.204×10-19J〜8.155×10-14Jの電磁気の式は誤りである。「ウイークボソン」は存在しない。
雑誌ニュートン「素粒子の全て」クオーク、反粒子、4つの力、ヒッグス粒子、ダークマターまで、のP96には、弱い力とは何だろう？「炭素１４同位体年表測定」でおきる炭素１４の変化。炭素14の原子核は、時間がたつと中性子の1つが陽子に変わり、窒素14の原子核になります。これが「ベータ崩壊」です。この反応は弱い力によって引き起こされます。
この過程は、
ダウンクオーク(W−粒子を放出するとアップクオークに変わる)
ウイークホゾン(W−粒子)は(すぐに壊れて電子と反電子ニュートリノに変化する)
電子(ベータ線)と反電子ニュートリノができる。
と記されています。
私は、２０１８年7月10日の特許出願した、特願2018−130310、「強い力とグル―オン、弱い力とウイークボゾン」の「請求項１０」に次のように記した。
中性子から陽子に成るとき、電子のラブ＋電子ニュートリノより軌道の小さい電磁気、が放出する。
この放出する物が「ウイークボソン」です。
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
この事を図示する。
しかし、今回の特願で、反電子ニュートリノは陽子のラブの外側の周囲を回転する低エネルギーの電磁気５の部分、である事を理解した。
それで、
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
の式は誤りである。「ウイークボソン」は存在しない。
「ウイークボソン」と思われている素粒子は、存在しない。
【発明の詳細な説明】
【技術分野】
【０００１】
本発明は、ウイークボソンに関するものである。
【背景技術】
【０００２】
２０１８年7月10日の特許出願した、特願2018−130310、「強い力とグル―オン、弱い力とウイークボゾン」の「請求項１０」に次のように記した。
「請求項10」１０．    ウイークボソンとは何か。
雑誌、ニュートンの、「素粒子のすべてクオーク、反粒子、4つの力、ヒッグス粒子、ダークマターまで」、のP96に次のように記されています。
炭素14の原子核は不安定なため、時間がたつと中性子の1つが陽子と電子と反電子ニュートリノに壊れて、窒素14の原子核に変わります。この変化を引き起こす物が弱い力なのだそうです。弱い力の素粒子は「ウイークボソン」とよばれ、プラスの電気を帯びたW＋粒子、マイナスの電気を帯びたW-粒子、中性のZ粒子の3種類があるといいます。
中性子ができるとき、陽子の中に電子は入り、電子ニュートリノは放出する。
この現象を課題４に於いて理解した。
課題４．電子ニュートリノは2eV以下です。この事により理解できる事は何か。
表により理解できる事
電子＝電子のラブ＋電子ニュートリノよりエネルギーの大きい電磁気＋電子ニュートリノ
電子＝電子のラブ＋電子ニュートリノより軌道の小さい電磁気＋電子ニュートリノ
電子＝電子のラブ＋3.204×10-19J〜8.155×10-14Jの電磁気＋電子ニュートリノ
電子＝電子のラブ＋3.848×10-23m〜1.512×10-28mの軌道の電磁気＋電子ニュートリノ
中性子ができるとき、
電子のラブ＋電子ニュートリノより軌道の小さい電磁気が陽子の中に入り、電子ニュートリノは放出される。
即ち、陽子の中に入る部分は、
電子のラブ＋電子ニュートリノより軌道の小さい電磁気＝電子のラブ＋3.848×10-23m〜1.512×10-28mの軌道の電磁気＝電子のラブ＋電子ニュートリノよりエネルギーの大きい電磁気＝電子のラブ＋3.204×10-19J〜8.155×10-14Jの電磁気、です。
それで、中性子から陽子に成るとき、この逆の現象がおきる。
中性子から陽子に成るとき、電子のラブ＋電子ニュートリノより軌道の小さい電磁気が放出する。
この放出する物が「ウイークボソン」です。
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
この事を図示する。
【先行技術文献】
【特許文献】
【０００３】
【特許文献１】特願2018−130310
【発明の概要】
【発明が解決しようとする課題】
【０００４】
１．炭素14の原子核は不安定なため、時間がたつと中性子の1つが陽子と電子と反電子ニュートリノに壊れて、窒素14の原子核に変わります。この事の解明。
２．ウイークホゾンという素粒子は存在するか。
３．特願2018−130310、「強い力とグル―オン、弱い力とウイークボゾン」の「請求項１０」に記した、「ウイークボソン」＝電子のラブ＋電子ニュートリノより軌道の小さい電磁気＝電子のラブ＋3.848×10-23m〜1.512×10-28mの軌道の電磁気。「ウイークボソン」＝電子のラブ＋電子ニュートリノよりエネルギーの大きい電磁気＝電子のラブ＋3.204×10-19J〜8.155×10-14Jの電磁気の式は誤りである。「ウイークボソン」は存在しない。
【課題を解決するための手段】
【０００５】
１．中性子は、陽子のラブ1＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。
(電子のラブ３＋電子ニュートリノよりエネルギーの大きい電磁気４)＋陽子のラブの外側の周囲を回転する低エネルギーの電磁気５の順に並んで回転している部分が放出する。この部分が電子と反電子ニュートリノです。
２．自由中性子は半減期10分で陽子に崩壊する。この反応は場のエネルギー差による崩壊反応です。それで、この反応にはウイークホゾンは携わっていない。ウイークホゾンは存在しない。
３．今回の特願で、反電子ニュートリノは陽子のラブの外側の周囲を回転する低エネルギーの電磁気５の部分、である事を理解した。
それで、
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
の式は誤りである。「ウイークボソン」は存在しない。
【発明の効果】
【０００６】
中性子は、陽子のラブ1＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。
(電子のラブ３＋電子ニュートリノよりエネルギーの大きい電磁気４)＋陽子のラブの外側の周囲を回転する低エネルギーの電磁気５の順に並んで回転している部分が放出する。
電子の部分は、(電子のラブ３＋電子ニュートリノよりエネルギーの大きい電磁気４)です。回転方向は左です。
反電子ニュートリノの部分は、陽子のラブの外側の周囲を回転する低エネルギーの電磁気５です。回転方向は右です。
【図面の簡単な説明】
【０００７】
【図１】図１は、中性子は、陽子のラブ1＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。
【図２】図２は、(電子のラブ３＋電子ニュートリノよりエネルギーの大きい電磁気４)＋陽子のラブの外側の周囲を回転する低エネルギーの電磁気５の順に並んで回転している部分が放出する。電子の部分は、(電子のラブ３＋電子ニュートリノよりエネルギーの大きい電磁気４)です。回転方向は左です。反電子ニュートリノの部分は、陽子のラブの外側の周囲を回転する低エネルギーの電磁気５です。回転方向は右です。
【発明を実施するための形態】
【０００８】
１．炭素14の原子核は不安定なため、時間がたつと中性子の1つが陽子と電子と反電子ニュートリノに壊れて、窒素14の原子核に変わります。この事の解明。
特願2018−130310の「請求項10」で、核融合の場の電子は、電子のラブ＋電子ニュートリノよりエネルギーの大きい電磁気、と成っている。そして、陽子の中にこの部分が入り、中性子に成っている。電子ニュートリノは低エネルギーの電磁気なので、核融合の場に存在する事はできず、太陽から放出する、と記した。
中性子は、陽子のラブ1＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。
(電子のラブ３＋電子ニュートリノよりエネルギーの大きい電磁気４)＋陽子のラブの外側の周囲を回転する低エネルギーの電磁気５の順に並んで回転している部分が放出する。この部分が電子と反電子ニュートリノです。
電子の部分は、(電子のラブ３＋電子ニュートリノよりエネルギーの大きい電磁気４)です。回転方向は左です。
反電子ニュートリノの部分は、陽子のラブの外側の周囲を回転する低エネルギーの電磁気５です。回転方向は右です。
即ち、炭素14の原子核は不安定なため、時間がたつと中性子の1つが陽子と電子と反電子ニュートリノに壊れて、窒素14の原子核に変わる現象は、中性子は、陽子のラブ１＋陽子のラブの周囲を回転する高エネルギーの電磁気２＋(電子のラブ３＋電子ニュートリノよりエネルギーの大きい電磁気４)＋陽子のラブの外側の周囲を回転する低エネルギーの電磁気５、のエネルギーの順に並んで回転している。そして、炭素14の原子核は不安定なため、時間がたつと中性子の1つが、陽子のラブ１＋陽子のラブの周囲を回転する高エネルギーの電磁気２は陽子として存在し、(電子のラブ３＋電子ニュートリノよりエネルギーの大きい電磁気４)＋陽子のラブの外側の周囲を回転する低エネルギーの電磁気５の部分は電子と反電子ニュートリノとして分かれて存在するようになる事です。電子の部分は(電子のラブ３＋電子ニュートリノよりエネルギーの大きい電磁気４)です。これは左回転です。反電子ニュートリノの部分は陽子のラブの外側の周囲を回転する低エネルギーの電磁気５です。これは右回転です。
この事を表に示す。
表１
2020160635.tif 000003
２．    ウイークホゾンという素粒子は存在するか。
この反応は、本来炭素は原子番号が１２で、安定な物質であり、炭素14の原子核は放射性同位体です。6個の陽子と8個の中性子より成っています。そのため、中性子を放出する反応です。
自由中性子は半減期10分で陽子に崩壊する。この反応は場のエネルギー差による崩壊反応です。それで、この反応にはウイークホゾンは携わっていない。ウイークホゾンは存在しない。
３．    特願2018−130310、「強い力とグル―オン、弱い力とウイークボゾン」の「請求項１０」に記した、「ウイークボソン」＝電子のラブ＋電子ニュートリノより軌道の小さい電磁気＝電子のラブ＋3.848×10-23m〜1.512×10-28mの軌道の電磁気。「ウイークボソン」＝電子のラブ＋電子ニュートリノよりエネルギーの大きい電磁気＝電子のラブ＋3.204×10-19J〜8.155×10-14Jの電磁気の式は誤りである。「ウイークボソン」は存在しない。
雑誌ニュートン「素粒子の全て」クオーク、反粒子、4つの力、ヒッグス粒子、ダークマターまで、のP96には、弱い力とは何だろう？「炭素１４同位体年表測定」でおきる炭素１４の変化。炭素14の原子核は、時間がたつと中性子の1つが陽子に変わり、窒素14の原子核になります。これが「ベータ崩壊」です。この反応は弱い力によって引き起こされます。
この過程は、
ダウンクオーク(W−粒子を放出するとアップクオークに変わる)
ウイークホゾン(W−粒子)は(すぐに壊れて電子と反電子ニュートリノに変化する)
電子(ベータ線)と反電子ニュートリノができる。
と記されています。
私は、２０１８年7月10日の特許出願した、特願2018−130310、「強い力とグル―オン、弱い力とウイークボゾン」の「請求項１０」に次のように記した。
中性子から陽子に成るとき、電子のラブ＋電子ニュートリノより軌道の小さい電磁気、が放出する。
この放出する物が「ウイークボソン」です。
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
この事を図示する。
しかし、今回の特願で、反電子ニュートリノは陽子のラブの外側の周囲を回転する低エネルギーの電磁気５の部分、である事を理解した。
それで、
「ウイークボソン」＝電子のラブ＋電子ニュートリノより軌道の小さい電磁気＝電子のラブ＋3.848×10-23m〜1.512×10-28mの軌道の電磁気
「ウイークボソン」＝電子のラブ＋電子ニュートリノよりエネルギーの大きい電磁気＝電子のラブ＋3.204×10-19J〜8.155×10-14Jの電磁気
の式は誤りである。「ウイークボソン」は存在しない。
「ウイークボソン」と思われている素粒子は、存在しない。
【産業上の利用可能性】
【０００９】
素粒子を理解することは産業の発展に寄与する。
【符号の説明】
【００１０】
１    陽子のラブ
２    陽子のラブの周囲を回転する高エネルギーの電磁気
３    電子のラブ
４    電子ニュートリノよりエネルギーの大きい電磁気で、電子のラブの周囲を回転する電磁気、左回転
５    陽子のラブの外側の周囲を回転する低エネルギーの電磁気、右回転＝反電子ニュートリノ
６   地表で拡大した電子のラブの周囲を回転する電磁気、左回転＝電子
７    地表で拡大した陽子のラブの外側の周囲を回転する低エネルギーの電磁気、右回転＝反電子ニュートリノ
【図１】
2020160635.tif 000005
【図２】
2020160635.tif 000006